(57)【要約】【課題】１個の調光器と１つの信号線を用いるだけで複数個の照明装置を調光することが可能な調光制御システムを簡潔な構成で低コストに提供する。【解決手段】調光器１１は、複数個の照明装置１３(1)〜１３(n)を個々に調光するためのＰＷＭ方式の調光信号Ｓ(1)〜Ｓ(n)を生成し、シリーズ接続における照明装置１３の接続の順番に従い、個々の照明装置１３(1)〜１３(n)に対応した調光信号Ｓ(1)〜Ｓ(n)を信号線１２に順次送信することにより、一群の調光信号Ｓから構成された信号列を信号線１２に送信する。複数個の照明装置１３はそれぞれ、信号線１２から信号列を受信したら、その信号列を構成する先頭の調光信号ＳをＰＷＭ方式により復調し、その復調結果に基づいてＬＥＤ１５を調光すると共に、信号列を構成する先頭の調光信号を削除し、残りの調光信号Ｓから構成された信号列を、信号線１２を介して次段の照明装置１３へ送信する。【選択図】  図１
2014086154.tif 000002
【特許請求の範囲】
【請求項１】
１つの信号線にシリーズ接続された複数個の照明装置と、
前記複数個の照明装置が有する光源を個別に調光する１個の調光器と
を備えた調光制御システムであって、
前記調光器は、前記複数個の照明装置を個々に調光するためのＰＷＭ方式の調光信号を生成し、前記シリーズ接続における前記照明装置の接続の順番に従い、個々の照明装置に対応した調光信号を前記信号線に順次送信することにより、一群の調光信号から構成された信号列を前記信号線に送信し、
前記複数個の照明装置はそれぞれ、
前記信号線から前記信号列を受信したら、その信号列を構成する先頭または末尾の調光信号をＰＷＭ方式により復調し、その復調結果に基づいて前記光源を調光すると共に、
前記信号列を構成する先頭または末尾の調光信号を削除し、残りの調光信号から構成された信号列を、前記信号線にシリーズ接続された次段の照明装置へ送信する調光制御システム。
【請求項２】
前記調光器は、前記シリーズ接続における前記照明装置の初段側から最終段側への接続の順番に従い、初段から最終段のそれぞれの照明装置に対応した調光信号を前記信号線に順次送信し、
前記複数個の照明装置はそれぞれ、
前記信号線から前記信号列を受信したら、その信号列を構成する先頭の調光信号をＰＷＭ方式により復調し、その復調結果に基づいて前記光源を調光すると共に、
前記信号列を構成する先頭の調光信号を削除し、残りの調光信号から構成された信号列を、前記信号線にシリーズ接続された次段の照明装置へ送信する、請求項１に記載の調光制御システム。
【請求項３】
前記調光器は、前記シリーズ接続における前記照明装置の最終段側から初段側への接続の順番に従い、最終段から初段のそれぞれの照明装置に対応した調光信号を前記信号線に順次送信し、
前記複数個の照明装置はそれぞれ、
前記信号線から前記信号列を受信したら、その信号列を構成する末尾の調光信号をＰＷＭ方式により復調し、その復調結果に基づいて前記光源を調光すると共に、
前記信号列を構成する末尾の調光信号を削除し、残りの調光信号から構成された信号列を、前記信号線にシリーズ接続された次段の照明装置へ送信する、請求項１に記載の調光制御システム。
【請求項４】
前記調光器は、同一の前記信号列を繰り返し送信し、
前記照明装置は、繰り返し送信される前記信号列の切れ目を検出することにより、前記信号列の受信を判別する、請求項１〜３のいずれか一項に記載の調光制御システム。
【請求項５】
前記調光器は、前記信号列を送信したら、前記調光信号が無い無信号状態の一定期間を経た後に、再び前記信号列を送信する動作を繰り返し行うことにより、同一の前記信号列を一定期間の間隔をあけて繰り返し送信し、
前記照明装置は、前記一定期間の無信号状態の受信結果に基づいて、繰り返し送信される前記信号列の切れ目を検出することにより、前記信号列の受信を判別する、請求項４に記載の調光制御システム。
【請求項６】
前記調光器は、同一の前記信号列と判別用信号とを交互に繰り返し送信し、
前記照明装置は、前記判別用信号の受信結果に基づいて、繰り返し送信される前記信号列の切れ目を検出することにより、前記信号列の受信を判別する、請求項４に記載の調光制御システム。
【発明の詳細な説明】
【技術分野】
【０００１】
本発明は調光制御システムに係り、詳しくは、複数個の照明装置を１個の調光器で調光する調光制御システムに関するものである。
【背景技術】
【０００２】
従来より、パルス幅変調（ＰＷＭ：Pulse Width Modulation）方式の調光信号を用いて照明装置を調光する技術が使用されている。
この技術において、１個の調光器に接続された１つの信号線に対して、同一のＰＷＭ方式の調光信号を単純に送信した場合には、その信号線に接続された複数個の照明装置は全て同じ調光しかできない。
そのため、複数個の照明装置を個別に調光したいならば、照明装置毎に個別の調光器と信号線を用いる必要がある。
【０００３】
そこで、１個の調光器と１つの信号線を用いるだけで複数個の照明装置を個別に調光する技術が種々提案されている。
例えば、特許文献１には、２種類の変調方式（ＰＷＭ方式、周波数変調方式）を用い、変調方式毎に別個の点灯装置（照明装置）を調光する技術（以下、「第１の従来技術」と呼ぶ）が開示されている（請求項１、実施の形態１を参照）。
【０００４】
また、特許文献１には、点灯装置を識別する識別信号と、点灯装置を個別に調光する調光信号とを交互に同一の信号線に送信し、個々の点灯装置が受信した識別信号が自己を識別するものであれば、点灯装置は当該識別信号に基づいて調光する技術（以下、「第２の従来技術」と呼ぶ）が開示されている（請求項４、実施の形態４を参照）。
【０００５】
また、特許文献２には、複数個の照明器具（照明装置）のそれぞれにアドレスを持たせ、同一の信号線にアドレス信号と調光信号とを送信し、複数個の照明器具を個別に調光する技術が開示されている。
【先行技術文献】
【特許文献】
【０００６】
【特許文献１】特開２０１１−２３８３６９号公報
【特許文献２】特開２００８−４１４８０号公報
【発明の概要】
【発明が解決しようとする課題】
【０００７】
前記第１の従来技術では、１種類の変調方式で１個（１組）の照明装置を調光するため、３個（３組）以上の照明装置を調光することができないという問題がある。
また、前記第１の従来技術では、２種類の変調方式を用いる。
また、前記第２の従来技術では、調光信号だけでなく識別信号を用いる。
また、特許文献２の技術では、調光信号だけでなくアドレス信号を用いる。
そのため、特許文献１および特許文献２の技術では、調光を制御するための動作が複雑であり、システム全体の構成も複雑化して高コストになるという問題がある。
【０００８】
本発明は前記問題を解決するためになされたものであって、その目的は、１個の調光器と１つの信号線を用いるだけで複数個の照明装置を調光することが可能な調光制御システムを簡潔な構成で低コストに提供することにある。
【課題を解決するための手段】
【０００９】
本発明者らは前記課題を解決するために鋭意検討を重ねた結果、下記のように本発明の各局面に想到した。
【００１０】
＜第１の局面＞
第１の局面は、
１つの信号線にシリーズ接続された複数個の照明装置と、
前記複数個の照明装置が有する光源を個別に調光する１個の調光器と
を備えた調光制御システムであって、
前記調光器は、前記複数個の照明装置を個々に調光するためのＰＷＭ方式の調光信号を生成し、前記シリーズ接続における前記照明装置の接続の順番に従い、個々の照明装置に対応した調光信号を前記信号線に順次送信することにより、一群の調光信号から構成された信号列を前記信号線に送信し、
前記複数個の照明装置はそれぞれ、
前記信号線から前記信号列を受信したら、その信号列を構成する先頭または末尾の調光信号をＰＷＭ方式により復調し、その復調結果に基づいて前記光源を調光すると共に、
前記信号列を構成する先頭または末尾の調光信号を削除し、残りの調光信号から構成された信号列を、前記信号線にシリーズ接続された次段の照明装置へ送信する。
【００１１】
第１の局面では、照明装置の個数に制約が無く、多数個の照明装置を１個の調光器で調光することができる。
また、第１の局面では、複数個の照明装置を信号線にシリーズ接続するのに送り配線を用いればよいため、照明装置の接続施工が簡単になり低コスト化を図ることができる。
【００１２】
そして、第１の局面では、ＰＷＭ方式の調光信号だけを用いるため、前記背景技術（２種類の変調方式を用いる前記第１の従来技術、調光信号だけでなく識別信号を用いる前記第２の従来技術、調光信号だけでなくアドレス信号を用いる特許文献２の技術）に比べて、調光器および照明装置における調光制御を単純化できる。
【００１３】
さらに、第１の局面では、照明装置が簡単な動作（信号列の先頭または末尾の調光信号に基づいて光源を調光すると共に、信号列の先頭または末尾の調光信号を削除し、残りの調光信号から構成された信号列を次段の照明装置へ送信する）を行うだけで、１つの調光器により複数個の照明装置を個別に調光可能であるため、前記背景技術に比べて照明装置の構成をはるかに単純化できる。
従って、第１の局面によれば、システム全体の構成が簡潔になるため、低コスト化を図ることができる。
【００１４】
＜第２の局面＞
第２の局面は、第１の局面において、
前記調光器は、前記シリーズ接続における前記照明装置の初段側から最終段側への接続の順番に従い、初段から最終段のそれぞれの照明装置に対応した調光信号を前記信号線に順次送信し、
前記複数個の照明装置はそれぞれ、
前記信号線から前記信号列を受信したら、その信号列を構成する先頭の調光信号をＰＷＭ方式により復調し、その復調結果に基づいて前記光源を調光すると共に、
前記信号列を構成する先頭の調光信号を削除し、残りの調光信号から構成された信号列を、前記信号線にシリーズ接続された次段の照明装置へ送信する。
そのため、第２の局面によれば、第１の局面の前記作用・効果を確実に得られる。
【００１５】
＜第３の局面＞
第３の局面は、第１の局面において、
前記調光器は、前記シリーズ接続における前記照明装置の最終段側から初段側への接続の順番に従い、最終段から初段のそれぞれの照明装置に対応した調光信号を前記信号線に順次送信し、
前記複数個の照明装置はそれぞれ、
前記信号線から前記信号列を受信したら、その信号列を構成する末尾の調光信号をＰＷＭ方式により復調し、その復調結果に基づいて前記光源を調光すると共に、
前記信号列を構成する末尾の調光信号を削除し、残りの調光信号から構成された信号列を、前記信号線にシリーズ接続された次段の照明装置へ送信する。
そのため、第３の局面によれば、第１の局面の前記作用・効果を確実に得られる。
【００１６】
＜第４の局面＞
第４の局面は、第１の局面または第２の局面において、前記調光器は、同一の前記信号列を繰り返し送信し、前記照明装置は、繰り返し送信される前記信号列の切れ目を検出することにより、前記信号列の受信を判別する。
第４の局面によれば、繰り返し送信される信号列を確実に判別可能になり、第１〜第３の局面の前記作用・効果を確実に得られる。
【００１７】
＜第５の局面＞
第５の局面は、第４の局面において、
前記調光器は、前記信号列を送信したら、前記調光信号が無い無信号状態の一定期間を経た後に、再び前記信号列を送信する動作を繰り返し行うことにより、同一の前記信号列を一定期間の間隔をあけて繰り返し送信し、
前記照明装置は、前記一定期間の無信号状態の受信結果に基づいて、繰り返し送信される前記信号列の切れ目を検出することにより、前記信号列の受信を判別する。
そのため、第５の局面によれば、第４の局面の前記作用・効果を確実に得られる。
【００１８】
＜第６の局面＞
第６の局面は、第４の局面において、
前記調光器は、同一の前記信号列と判別用信号とを交互に繰り返し送信し、
前記照明装置は、前記判別用信号の受信結果に基づいて、繰り返し送信される前記信号列の切れ目を検出することにより、前記信号列の受信を判別する。
そのため、第６の局面によれば、第４の局面の前記作用・効果を確実に得られる。
【図面の簡単な説明】
【００１９】
【図１】本発明を具体化した一実施形態の調光制御システム１０の構成を示すブロック図。
【図２】一実施形態において、信号線１２に送信される一群の調光信号Ｓ(1)〜Ｓ(n)から構成された信号列Ｌを示す波形図。
【図３】複数の信号列Ｌを示す波形図。
【図４】複数の信号列Ｌを示す波形図。
【図５】本発明を具体化した別の実施形態において、信号線１２に送信される一群の調光信号Ｓ(n)〜Ｓ(1)から構成された信号列Ｌを示す波形図。
【発明を実施するための形態】
【００２０】
図１に示すように、本実施形態の調光制御システム１０は、１個の調光器１１、１つの信号線１２、ｎ個（ｎは自然数）の照明装置１３(1)〜１３(n)を備える。
個々の照明装置１３(1)〜１３(n)は同一構成であり、点灯回路１４およびＬＥＤ１５（光源）を備え、同一の信号線１２に対して順次送り配線されることによりシリーズ接続されている。
点灯回路１４は記憶装置１４ａを備える。尚、記憶装置１４ａは、調光信号Ｓの信号列Ｌを記憶可能であれば、どのような方式の記憶装置（例えば、ＲＡＭ、ハードディスクなど）によって具体化してもよい。
【００２１】
図２（Ａ）に示すように、調光器１１は、個々の照明装置１３(1)〜１３(n)を個別に調光するためのＰＷＭ方式の調光信号Ｓ(1)〜Ｓ(n)を生成し、照明装置１３(1)〜１３(n)のシリーズ接続における初段側から最終段側への接続の順番に従い、初段から最終段のそれぞれの照明装置１３(1)〜１３(n)に対応した調光信号Ｓ(1)〜Ｓ(n)を信号線１２に順次送信することにより、一群の調光信号Ｓ(1)〜Ｓ(n)から構成された信号列Ｌを信号線１２に送信する。
【００２２】
すなわち、調光器１１は、信号線１２に対して調光器１１から見て最も手前側（上流側、初段）に接続されている照明装置１３(1)を調光するための調光信号Ｓ(1)を先頭にして最初に送信し、次に、調光器１１から見て２番目に手前側に接続されている照明装置１３(2)を調光するための調光信号Ｓ(2)を送信し、続いて、調光器１１から見て３番目に手前側に接続されている照明装置１３(3)を調光するための調光信号Ｓ(3)を送信する、といった具合に、調光器１１から見て手前側に１番目から（ｎ−２）番目までに接続されている照明装置１３(1)〜１３(n-2)を調光するための調光信号Ｓ(1)〜１３(n-2)を順次送信してゆき、その後、調光器１１から見て（ｎ−１）番目に手前側に接続されている照明装置１３(n-1)を調光するための調光信号Ｓ(n-1)を送信し、最後に、調光器１１から見てｎ番目に手前側（最も下流側、最終段）に接続されている照明装置１３(n)を調光するための調光信号Ｓ(n)を送信することにより、一群の調光信号Ｓ(1)〜Ｓ(n)から構成された信号列Ｌの送信を完了する。
【００２３】
個々の照明装置１３(1)〜１３(n)の点灯回路１４は、信号線１２に送信されてくる一群の調光信号Ｓ(1)〜Ｓ(n)から構成された信号列Ｌを受信したら、その信号列Ｌを記憶装置１４ａに一時記憶し、その信号列Ｌを構成する先頭の調光信号ＳをＰＷＭ方式により復調して調光用データであるデューティ比DUTY（復調結果）を取得し、そのデューティ比DUTYに基づいてＬＥＤ１５を調光する。
そして、点灯回路１４は、受信した信号列Ｌの先頭の調光信号Ｓを削除し、残りの調光信号Ｓから構成された信号列Ｌを、信号線１２を介して次段の照明装置１３へ送信する。
その後、点灯回路１４は、記憶装置１４ａに一時記憶しておいた信号列Ｌを消去する。
【００２４】
図２（Ａ）に示すように、ＰＷＭ方式の調光信号Ｓ(1)〜Ｓ(n)はそれぞれ、１周期の矩形波から成り、そのデューティ比DUTYは、立ち上がりエッジから立ち下りエッジまでのハイレベルの期間τを、立ち上がりエッジから次の立ち上がりエッジまでの期間である周期Ｔで除算することによって算出される（DUTY＝τ／Ｔ）。
【００２５】
ここで、信号線１２に対して初段に接続されている照明装置１３(1)の点灯回路１４は、調光器１１から信号線１２に送信されてくる一群の調光信号Ｓ(1)〜Ｓ(n)から構成された信号列Ｌ（図２（Ａ）参照）を受信したら、その信号列Ｌを構成する先頭の調光信号Ｓ(1)に基づいてＬＥＤ１５を調光し、図１および図２（Ｂ）に示すように、調光信号Ｓ(1)を削除した残りの調光信号Ｓ(2)〜Ｓ(n)から構成された信号列Ｌを、信号線１２を介して次段の照明装置１３(2)へ送信する。
【００２６】
また、信号線１２に対して照明装置１３(1)の次段に接続されている照明装置１３(2)の点灯回路１４は、前段の照明装置１３(1)から信号線１２に送信されてくる一群の調光信号Ｓ(2)〜Ｓ(n)から構成された信号列Ｌ（図２（Ｂ）参照）を受信したら、その信号列Ｌを構成する先頭の調光信号Ｓ(2)に基づいてＬＥＤ１５を調光し、図１および図２（Ｃ）に示すように、調光信号Ｓ(2)を削除した残りの調光信号Ｓ(3)〜Ｓ(n)から構成された信号列Ｌを、信号線１２を介して次段の照明装置１３(3)へ送信する。
【００２７】
また、照明装置１３(n-1)の点灯回路１４は、前段の照明装置１３(n-2)から信号線１２に送信されてくる一群の調光信号Ｓ(n-1)〜Ｓ(n)から構成された信号列Ｌを受信したら、その信号列Ｌを構成する先頭の調光信号Ｓ(n-1)に基づいてＬＥＤ１５を調光し、図１および図２（Ｄ）に示すように、調光信号Ｓ(n-1)を削除した残りの調光信号Ｓ(n)のみから構成された信号列Ｌを、信号線１２を介して次段の照明装置１３(n)へ送信する。
そして、信号線１２に対して最終段に接続されている照明装置１３(n)の点灯回路１４は、前段の照明装置１３(n-1)から信号線１２に送信されてくる調光信号Ｓ(n)を受信したら、その調光信号Ｓ(n)に基づいてＬＥＤ１５を調光する。
【００２８】
ところで、図３（Ａ）に示すように、調光器１１は、信号列Ｌを送信したら、調光信号Ｓ(1)〜Ｓ(n)が無い無信号状態の一定期間Ｈを経た後に、再び同一の信号列Ｌを送信する動作を繰り返し行うことにより、同一の信号列Ｌを一定期間Ｈの間隔をあけて繰り返し送信する。
照明装置１３(1)〜１３(n)の点灯回路１４は、一定期間Ｈの無信号状態の受信結果に基づいて、繰り返し送信される信号列Ｌの切れ目を検出することにより、一群の調光信号Ｓ(1)〜Ｓ(n)から構成された信号列Ｌを受信したかどうかを判別する。
そのため、照明装置１３(1)〜１３(n)は、繰り返し送信される信号列Ｌを確実に判別することができる。
【００２９】
［実施形態の作用・効果］
本実施形態の調光制御システム１０では、照明装置１３(1)〜１３(n)の個数に制約が無く、多数個の照明装置１３(1)〜１３(n)を１個の調光器１１で調光することができる。
また、調光制御システム１０では、複数個の照明装置１３(1)〜１３(n)を信号線１２にシリーズ接続するのに送り配線を用いればよいため、照明装置１３(1)〜１３(n)の接続施工が簡単になり低コスト化を図ることができる。
【００３０】
そして、調光制御システム１０では、ＰＷＭ方式の調光信号Ｓ(1)〜Ｓ(n)だけを用いるため、前記背景技術（２種類の変調方式を用いる前記第１の従来技術、調光信号だけでなく識別信号を用いる前記第２の従来技術、調光信号だけでなくアドレス信号を用いる特許文献２の技術）に比べて、調光器１１および照明装置１３(1)〜１３(n)における調光制御を単純化できる。
【００３１】
さらに、調光制御システム１０では、照明装置１３(1)〜１３(n)が簡単な動作（信号列Ｌの先頭の調光信号Ｓに基づいてＬＥＤ１５を調光すると共に、信号列Ｌの先頭の調光信号Ｓを削除し、残りの調光信号Ｓから構成された信号列Ｌを信号線１２に送信する）を行うだけで、１つの調光器１１により複数個の照明装置１３(1)〜１３(n)を個別に調光可能であるため、前記背景技術に比べて照明装置１３(1)〜１３(n)の構成をはるかに単純化できる。
従って、調光制御システム１０によれば、システム全体の構成が簡潔になるため、低コスト化を図ることができる。
【００３２】
＜別の実施形態＞
本発明は前記実施形態に限定されるものではなく、以下のように具体化してもよく、その場合でも、前記実施形態と同等もしくはそれ以上の作用・効果を得ることができる。
【００３３】
［Ａ］繰り返し送信される信号列Ｌの切れ目を点灯回路１４が検出するには、以下の方法を用いてもよい。
【００３４】
［方法１］
図３（Ｂ）に示すように、調光器１１は、信号列Ｌを送信したら、調光信号Ｓ(1)〜Ｓ(n)に対して極性を反転した判別用信号Ｐａを送信した後に、再び同一の信号列Ｌを送信する動作を繰り返し行うことにより、同一の信号列Ｌと判別用信号Ｐとを交互に繰り返し送信する。
【００３５】
［方法２］
図４（Ａ）に示すように、調光器１１は、信号列Ｌを送信したら、調光信号Ｓ(1)〜Ｓ(n)と同一極性の判別用信号Ｐｂを送信した後に、再び同一の信号列Ｌを送信する動作を繰り返し行うことにより、同一の信号列Ｌと判別用信号Ｐとを交互に繰り返し送信する。
【００３６】
照明装置１３(1)〜１３(n)の点灯回路１４は、判別用信号Ｐａ，Ｐｂの受信結果に基づいて、繰り返し送信される信号列Ｌの切れ目を検出することにより、一群の調光信号Ｓ(1)〜Ｓ(n)から構成された信号列Ｌを受信したかどうかを判別する。
この場合、判別用信号Ｐａ，Ｐｂは１つのパルス信号から成り、そのローレベルの期間ｔ１またはハイレベルの期間ｔ２の具体値は、繰り返し送信される信号列Ｌの切れ目を確実に検出可能なように、実験的に最適値を見つけて設定すればよい。
【００３７】
尚、図３（Ｃ）に示すように、判別用信号Ｐａを複数個（図示例では２個）のパルス信号から構成されるようにしてもよい。
また、図４（Ｂ）に示すように、判別用信号Ｐｂを複数個（図示例では２個）のパルス信号から構成されるようにしてもよい。
判別用信号Ｐａ，Ｐｂを複数個のパルス信号により構成すれば、信号線１２におけるノイズの影響を回避して点灯回路１４が判別用信号Ｐａ，Ｐｂを確実に検出可能になる。
【００３８】
［Ｂ］信号線１２に送信される調光信号Ｓ(1)〜Ｓ(n)の順番を前記実施形態とは逆にしてもよい。
この場合には、図５（Ａ）に示すように、調光器１１は、ＰＷＭ方式の調光信号Ｓ(n)〜Ｓ(1)を生成し、照明装置１３(1)〜１３(n)のシリーズ接続における最終段側から初段側への接続の順番に従い、最終段から初段のそれぞれの照明装置１３(n)〜１３(1)に対応した調光信号Ｓ(n)〜Ｓ(1)を信号線１２に順次送信することにより、一群の調光信号Ｓ(n)〜Ｓ(1)から構成された信号列Ｌを信号線１２に送信する。
【００３９】
すなわち、調光器１１は、最終段の照明装置１３(n)の調光信号Ｓ(n)を先頭にして最初に送信し、次に、照明装置１３(n-1)の調光信号Ｓ(n-1)を送信し、その後、照明装置１３(3)の調光信号Ｓ(3)、照明装置１３(2)の調光信号Ｓ(2)の順番で送信し、最後に、初段の照明装置１３(1)の調光信号Ｓ(1)を送信することにより、一群の調光信号Ｓ(n)〜Ｓ(1)から構成された信号列Ｌの送信を完了する。
【００４０】
個々の照明装置１３(1)〜１３(n)の点灯回路１４は、信号線１２に送信されてくる一群の調光信号Ｓ(1)〜Ｓ(n)から構成された信号列Ｌを受信したら、その信号列Ｌを記憶装置１４ａに一時記憶し、その信号列Ｌを構成する末尾の調光信号ＳをＰＷＭ方式により復調して調光用データであるデューティ比DUTYを取得し、そのデューティ比DUTYに基づいてＬＥＤ１５を調光する。
そして、点灯回路１４は、受信した信号列Ｌの末尾の調光信号Ｓを削除し、残りの調光信号Ｓから構成された信号列Ｌを、信号線１２を介して次段の照明装置１３へ送信する。
【００４１】
例えば、初段の照明装置１３(1)の点灯回路１４は、一群の調光信号Ｓ(n)〜Ｓ(1)の信号列Ｌ（図５（Ａ）参照）を受信したら、その信号列Ｌを構成する末尾の調光信号Ｓ(1)に基づいてＬＥＤ１５を調光し、図５（Ｂ）に示すように、調光信号Ｓ(1)を削除した残りの調光信号Ｓ(n)〜Ｓ(2)から構成された信号列Ｌを、信号線１２を介して次段の照明装置１３(2)へ送信する。
【００４２】
［Ｃ］信号線１２に送信される一群の調光信号Ｓ(1)〜Ｓ(n)から構成された信号列Ｌに対して、照明装置１３の調光には使用しないダミー信号を挿入付加してもよい。
この場合、調光器１１は、信号列Ｌの所定の箇所（先頭の調光信号Ｓ(1)の前、末尾の調光信号Ｓ(n)の後、所定の調光信号Ｓ(1)〜Ｓ(n)の間）にダミー信号を挿入付加し、一群の調光信号Ｓ(n)〜Ｓ(1)およびダミー信号から構成された信号列Ｌを信号線１２に送信する。
個々の照明装置１３(1)〜１３(n)の点灯回路１４は、信号線１２に送信されてくる一群の調光信号Ｓ(1)〜Ｓ(n)から構成された信号列Ｌに挿入付加されたダミー信号を無視し、前記実施形態と同様の動作を行う。
【００４３】
［Ｄ］ＬＥＤは、ＰＷＭ方式の調光信号で調光可能であれば、どのような光源（例えば、有機ＥＬ、電球など）に置き換えてもよい。
【００４４】
［Ｅ］前記各実施形態を適宜組み合わせて実施してもよく、その場合には組み合わせた実施形態の作用・効果を合わせもたせたり、相乗効果を得ることができる。
【００４５】
本発明は、前記各局面および前記各実施形態の説明に何ら限定されるものではない。特許請求の範囲の記載を逸脱せず、当業者が容易に想到できる範囲で種々の変形態様も本発明に含まれる。本明細書の中で明示した論文、公開特許公報、特許公報などの内容は、その全ての内容を援用によって引用することとする。
【符号の説明】
【００４６】
１０…調光制御システム
１１…調光器
１２…信号線
１３(1)〜１３(n)…照明装置
１４…点灯回路
１４ａ…記憶装置
１５…ＬＥＤ（光源）
Ｓ(1)〜Ｓ(n)…調光信号
Ｌ…信号列
τ…ハイレベルの期間
Ｔ…周期
Ｈ…無信号状態の期間
Ｐａ，Ｐｂ…判別用信号
【図１】
2014086154.tif 000003
【図２】
2014086154.tif 000004
【図３】
2014086154.tif 000005
【図４】
2014086154.tif 000006
【図５】
2014086154.tif 000007